(57)【要約】【課題】キャップが面白半分の弄くりや悪戯によって簡単に無断開放されないキャップ付き錠を提供する。【解決手段】錠本体の前面に対して直角な枢軸を中心に回転可能かつ軸方向に移動可能にキャップを錠本体に取付け、錠本体の前面部又はキャップの内底面部に直角に形成した支持孔に磁石よりなるロックピンを収容し、バネ部材によってロックピンの先端部が支持孔から突出するように押圧付勢し、キャップの内底面部又は錠本体の前面部に回転阻止用凹部を直角に形成し、キャップの嵌着位置において、ロックピンの先端部を回転阻止用凹部に係合させ、鍵の使用時には、鍵の先端部に収納した磁石をロックピンに向け、磁気反発力によってロックピンを支持孔内に退没させて、キャップを錠本体の前面部と平行に回転させる。【選択図】    図４
2004250890.tif 000002
【特許請求の範囲】
【請求項１】
錠本体の前面に対して直角な枢軸を中心に回転可能にキャップを錠本体に取付け、錠本体の前面部又はキャップの内底面部に直角に形成した支持孔に磁石よりなるロックピンを収容し、バネ部材によってロックピンの先端部が支持孔から突出するように押圧付勢し、キャップの内底面部又は錠本体の前面部に回転阻止用凹部を直角に形成し、キャップの嵌着位置において、ロックピンの先端部を回転阻止用凹部に係合させ、鍵の使用時には、鍵の先端部に収納した磁石をロックピンに向け、両者間の磁気反発力によってロックピンを支持孔内に退没させて、キャップを錠本体の前面部と平行に回転させるようにしたキャップ付き錠。
【発明の詳細な説明】
【０００１】
【発明の属する技術分野】本発明は、回転式キャップが装備されたキャップ付き錠に関するものである。
【０００２】
【従来の技術】例えば交通信号機の制御盤が収納されたボックスの扉に使用される錠では、浮遊塵埃や雨水の侵入によって錠機構が作動不能や作動不良を来さないようにするため、錠本体の前面部に回転式キャップを装着し、鍵孔を隠蔽している（例えば、特許文献１参照）。
【０００３】
従来のキャップ付き錠では、キャップは錠本体の前面に直角な枢軸を中心に回転可能に取付けられており、キャップ裏面に形成した浅い円形凹部が錠本体の前面に形成した低い円形隆起部に嵌るように、キャップがバネ部材によって錠本体に引き付けられている。そのため、錠本体の鍵孔はキャップによって被覆された状態に保持される。
【０００４】
信号機の管理者が制御盤の点検修理や設定変更のために扉を開けたいときには、キャップ周面に形成された指掛け用窪み部に指を掛けて、キャップに対し側面方向から回転力を与える。この回転力によってキャップの周縁部が前記円形隆起部の湾曲側面部に押し付けられるため、キャップは該湾曲側面部に誘導されて錠本体の前面方向に自動的に移動し、該円形隆起部の前面に乗り上げたキャップは、鍵孔を全面開放し、鍵の操作に支障とならない位置まで回転させられる。
【０００５】
しかしながら、このようにキャップ指掛け用窪み部に指を掛けて側面方向に押せば、何時でも誰にでも簡単に開放回転し得る状態にセットされているため、信号待ちの通行人等が遊び半分でキャップを弄くって開けてしまい、その後、信号が変わったときキャップを閉めないままに現場を立ち去ってしまうことがある。
キャップが開放状態に放置されてしまうと、鍵孔は塵埃や雨水の侵入に対して無防備となってしまう。
【０００６】
【特許文献１】実公平６―４３３９４号公報
【０００７】
【発明が解決しようとする課題】したがって本発明の目的は、キャップが面白半分の弄くりや悪戯によって簡単に無断開放されることがないキャップ付き錠を提供することである。
【０００８】
【課題を解決するための手段】上記課題を解決するために本発明のキャップ付き錠では、錠本体の前面に対して直角な枢軸を中心に回転可能にキャップを錠本体に取付け、錠本体の前面部又はキャップの内底面部に直角に形成した支持孔に磁石よりなるロックピンを収容し、バネ部材によってロックピンの先端部が支持孔から突出するように押圧付勢し、キャップの内底面部又は錠本体の前面部に回転阻止用凹部を直角に形成し、キャップの嵌着位置において、ロックピンの先端部を回転阻止用凹部に係合させる。
【０００９】
鍵を使用するためにキャップを開放するときには、図４に示したように鍵の先端部の磁石をキャップに正対させて近付け、鍵側の磁石と磁石製ロックピンとの間に働く磁気反発力によって、ロックピンの全体をバネ部材の付勢に抗して支持孔内に退没させ、ロックピンの先端部を回転阻止用凹部から脱出させる。これによって錠本体に対するキャップの回転拘束が解除されるため、キャップの周側面に指を掛けて側面方向に押すことによって、キャップを錠本体の前面部と平行に回転させる。
【００１０】
キャップの開放回転によって錠本体の鍵孔が現れるので、鍵孔に所定の鍵を挿入して施錠軸を錠本体に対して回転させ、施錠軸に連動装備したラッチ部材を解錠位置に駆動する。これによってボックス本体に対する扉の拘束が解除され、扉は制御盤などの内蔵機器の点検修理や設定変更のために開放させられる。
【００１１】
所要の作業終了後、扉は再び閉鎖され、鍵を逆に回して前記ラッチ部材で扉をボックス本体に錠止した後、鍵が施錠軸の鍵孔から抜き取られ、キャップが逆に回されて錠本体の前面部に嵌着される。
この嵌着の最終段階でキャップ側の回転阻止用凹部に錠本体側のロックピンの先端部がバネ部材の押圧付勢によって自動的に係合し、両者の係合がバネ部材によって保持される。
【００１２】
【発明の実施の形態】図示の実施例では、錠本体１はラッチユニット２の前面板部３に対して直角に固着されており、錠本体１の中央孔４に回転可能に嵌合された施錠軸５には、鍵孔６が軸方向に形成されている。ラッチユニット２は扉（図示していない）の裏側に格納される。施錠軸５の内端部には適当なカム機構を介してラッチ型のロック部材７が、直線的に進退するように連動装備されている。ラッチ部材７の先端部は、ボックス本体（図示していない）の受金部に係脱し、扉を閉鎖位置に錠止する。
【００１３】
ロックピン８は錠本体１の前面部に形成された支持孔９に収容されており、磁化されたロックピン８は、突出する先端部がＮ極となるように配置されている。これに対応して、鍵１０の先端部に格納された磁石１１は、露出端部がＮ極となるように配置されている。このロックピン８の断面形状は円形に限定される矩形などの他の形状も採用できる。ロックピン８の付勢用バネ部材１２は圧縮コイルバネで構成されている。回転阻止用凹部１４はキャップ１３の浅い円形凹部の内底面に形成されている。
【００１４】
ロックピン９を退没させないまま側面方向に回そうとするとき、互いに当接するロックピン８の一方の外側面と回転阻止用凹部１４の一方の内側面は、施錠軸５の中央軸線と平行であり、錠本体１の前面部及びキャップ１３の内底面に対して直角に配置されている。
錠本体の前面部がロックピンによって擦り傷を負う危険性やデメリットはあるが、回転阻止用凹部を錠本体側に設け、ロックピンをキャップ側に設けることもできる。
【００１５】
図５に示したようにロックピン８の片側面を傾斜面または湾曲面状のカム面８ａに形成すると、前記嵌着動作の最終段階で該カム面８ａに誘導されてキャップ１３が錠本体１の前面部の低い円形隆起部１５に自動的に嵌合するので、閉鎖操作時の作業性が良くなる。
【００１６】
キャップ１３の回転中心となる枢軸１６は、キャップ１３の内底面より直角に突出形成されているか、溶接されている。枢軸１６は錠本体１の外周部に軸方向に形成された軸孔１７に挿入されており、枢軸１６の先端部にはバネ受板１８が固着されている。軸孔１７の端面壁とバネ受板１８の間に圧縮された圧縮コイルバネよりなるバネ部材１９は、キャップ１３を錠本体１の前面部に引き付けている。
【００１７】
枢軸１６とバネ部材１９の配置と装着形態は図示のものに限定されず、キャップ１３が施錠軸５と平行に配置され、キャップ１３を錠本体１に引き付ける機能が達成されれば足りる。
【００１８】
【発明の効果】以上のように本発明のキャップ付き錠では、錠本体の前面部又はキャップの内底面部に直角に形成した支持孔に磁石よりなるロックピンを収容し、キャップの内底面部又は錠本体の前面部に回転阻止用凹部を直角に形成し、キャップの嵌着位置において、ロックピンの先端部を回転阻止用凹部に係合させたので、キャップが面白半分の弄くりや悪戯によって簡単に無断開放されることがない。
【００１９】
また、磁石が先端部に収納された鍵を積極的にロックピンに近付け、磁気反発力によってロックピンを支持孔内に退没させなければならないので、そのような鍵を所持しない通行人等によるキャップの開放操作は確実に禁止され、他物や人体との接触による偶発的な開放からも防護される。
【図面の簡単な説明】
【図１】本発明の一実施例に係るキャップ付き錠のキャップ開放状態の正面図である。
【図２】図１のキャップ付き錠のキャップ開放状態の底面図である。
【図３】図１のキャップ付き錠に使用する鍵の斜視図である。
【図４】図１のキャップ付き錠のキャップ閉鎖状態の底面図である。
【図５】本発明の別の実施例に係るキャップ付き錠のキャップ開放状態の要部底面図である。
【符号の説明】
１  錠本体
２  ラッチユニット
３  ラッチユニットの前面板部
４  錠本体の中央孔
５  施錠軸
６  鍵孔
７  ロック部材
８  回転阻止用突起
９  回転阻止用凹部
１０  キャップ
１１  キャップの内底面
１２  円形隆起部
１３  枢軸
１４  軸孔
１５  バネ受板
１６  バネ部材
【図１】
2004250890.tif 000003
【図２】
2004250890.tif 000004
【図３】
2004250890.tif 000005
【図４】
2004250890.tif 000006
【図５】
2004250890.tif 000007